(57)【要約】  スタンドと、内部のコンピュータと、内部の空気調和システムとを備えた公共用のディスプレイの基本的な実施の形態では、前記コンピュータ（１０）は前記ディスプレイのハウジング（７）内に配置され、空気の搬送部材として作用する空気調和機の蒸発器（１）は前記ディスプレイのハウジング（７）の底パネルの開口部（１８）に対して下から接続され、前記ディスプレイの中空のスタンド（８）内に配置され、空気を引き込むための部材として作用する前記空気調和機の圧縮機（２）は前記スタンド（８）の底パネルに配置される。前記解決策の変更例は、完全に前記ディスプレイのハウジングの内部か、或いは完全に前記ディスプレイのハウジングの外部か、或いは部分的に内部で部分的に外部かの機器を備えたスタンドレスのディスプレイに適用する。
2008519291.tif 000002
【特許請求の範囲】
【請求項１】
中空のスタンド（８）と、ハウジング（７）と、コンピュータ（１０）と、空気調和機（１，２）とを備えた公共用のディスプレイであって、
前記コンピュータ（１０）は、ハウジング（７）内に配置され、前記空気調和機（１，）は前記中空のスタンド（８）内に配置され、前記空気調和機の蒸発器（１）は前記ハウジング（７）の底パネルの開口部（１８）に接続され、前記空気調和機の圧縮機は前記スタンド（８）の底パネルに配置されていることを特徴とするディスプレイ。
【請求項２】
前記空気調和機（１，２）の蒸発器（１）は前記ハウジング（７）内に支持されており、前記空気調和機（１，２）の圧縮機は前記ハウジング（７）の外部に配置されていることを特徴とする請求項１に記載のディスプレイ。
【請求項３】
前記空気調和機の蒸発器（１）と前記ハウジング（７）の間に排出フード（３）が設けられていることを特徴とする請求項１に記載のディスプレイ。
【請求項４】
前記ハウジング（７）の底パネルは、前記蒸発器（１）と、外部電源が停電した場合のためにエネルギーを前記ディスプレイに供給する給電装置（１１）とを支持し、前記空気調和機（１，２）の圧縮機（２）及び前記コンピュータ（１０）は前記ハウジング（７）の外部に配置されていることを特徴とする請求項１に記載のディスプレイ。
【発明の詳細な説明】
【技術分野】
【０００１】
本発明は、（ｉ）スタンドと内部のコンピュータ及び内部の空気調和システムとを備えた公共用のディスプレイ、（ｉｉ）内部のコンピュータと空気調和システムの内部部材とを備えた公共用のスタンドレスディスプレイ、（ｉｉｉ）外部のコンピュータ及び外部の空気調和システムを備えた公共用のスタンドレスディスプレイ、（ｉｖ）内部のコンピュータ及び内部の空気調和システムとを備えた公共用のスタンドレスディスプレイ、及び（ｖ）外部のコンピュータ及び空気調和システムの内部部材とを備えた公共用のスタンドレスディスプレイに関する。
【背景技術】
【０００２】
ＦＲ２７５６６５３（G.Secerovski）には、公共用の大型パネル幅広形式のテレビのディスプレイが開示されている。この装置はハウジング内に設置されたテレビスクリーンを備えている。テレビの受信装置は構造の脚部に取り付けられたコンピュータシステムに接続されている。また、この構造の脚部内には、一定温度に装置を保持する空気調和システムが設けられている。前記ハウジングの底パネルは下方から空調された空気流を放出するグリルにより覆われており、テレビの受信装置の搬送体として有孔板が前記グリル上に配置されている。前記スクリーンは高さが３５０ｃｍで、幅が３００ｃｍである。
【０００３】
コンピュータは空気調和システムに隣接する脚部に設けられている。空気調和された雰囲気がディスプレイのために供給されることは明らかである。その寸法で、ディスプレイに比較して脚部は材料費の支出と同様に美的に不釣合いである。その他、空気調和された空気を放出するグリルと有孔搬送板との単なる組み合わせは同種の空気調和となり、その乾燥はディスプレイの内部空間の本質的な要因となる。
【発明の開示】
【発明が解決しようとする課題】
【０００４】
このため、本発明は、従来技術の不利益を事前に除去する問題から発生すると同時に、メートルにより測定される比較的大型サイズのディスプレイによる公共用のディスプレイを作り、その広い範囲の天候状態に関して不変で、特に氷点以下及び４０℃以上のそれぞれの温度範囲にも不変の設備である。
【課題を解決するための手段】
【０００５】
本発明によれば、スタンドと内部のコンピュータ及び内部の空気調和システムとを備えた公共用のディスプレイにおいて、コンピュータがディスプレイのハウジング内に配置されることにより、前記問題が解決される。搬送部材として作用する空気調和装置の蒸発器は、ディスプレイの中空のスタンド内に配置され、ディスプレイのハウジングの底パネルの開口部に下方から接続される。一方、空気を引き込むための部材として作用する空気調和装置の圧縮機はスタンドの底パネルに配置されている。このようにコンピュータは空気調和空気の雰囲気にあり、スタンドの寸法は圧縮機に依存しているだけである。
【０００６】
上記解決策に基づき、スタンドレスの形態を含めて幾つかの変形例も可能である。
【０００７】
内部のコンピュータと空気調和システムの内部部材とを備えた公共用のスタンドレスディスプレイにより、コンピュータはディスプレイのハウジング内に配置され、空気を送り込む部材として作用する空気調和装置の蒸発器はハウジングの内部に支持され、好ましくは、その底パネルにより支持される。一方、空気を引き込むための部材として作用する空気調和装置の圧縮機はディスプレイのハウジングの外部に配置される。
【０００８】
公共用のスタンドレスディスプレイには、コンピュータと、外部電源が故障した場合にディスプレイに電源を供給する給電装置と、空気調和システムが全て外部に配置されており、放出フード又は同様の装置は空気調和装置の蒸発器とディスプレイのハウジングとの間に設置されている。
【０００９】
公共用のスタンドレスディスプレイでは、内部のコンピュータと内部の空気調和システムと、空気調和装置の圧縮機と、コンピュータと、空気調和装置の蒸発器と、外部電源が故障した場合にディスプレイに電源を供給する給電装置とがすべてディスプレイのハウジングの底パネルにより支持されている。
【００１０】
空気調和システムの内部部材を備えた公共用のスタンドレスディスプレイでは、ディスプレイのハウジングの底パネルが空気調和装置の蒸発器及び外部電源が故障した場合にディスプレイに電源を供給する給電装置を支持し、空気調和装置の圧縮機及びコンピュータはディスプレイのハウジングの外部に配置されている。
【００１１】
ＪＰ２００３−１４９７３９（イワイタカトシ）、２００４−１０１０９４（シャープ社）及び９１９７９９５（マツダマサユキ等）、ＵＳ２００２／００９９７８（Dukach等）、ＤＥ２０１１９９００Ｕ１（Wincor Nixdorf GmbH & Co. KG）及びＥＰ１２７６０９２（Instore TV GmbH）は技術的な背景を開示していると思われる。
【発明を実施するための最良の形態】
【００１２】
以下、添付した図面に示された公共用に発明されたディスプレイの主要な実施例及び４つの変形例に基づき本発明を詳細に説明する。
【００１３】
各実施例は三次元で概略的に示されている。
【００１４】
全ての実施例では、選択された符号は、それぞれ同一の機能を供給する構造的な部材及び無形なものを示している。
【００１５】
用語の狭い意味では、ディスプレイはハウジング７に限定され、その正面壁はガラスパネル５製である。ガラスパネル５の後方には、少なくとも１つのビデオ装置６がハウジング７内に配置されており、前記ビデオ装置はそれ自体で独立した構造を有している。提案した５つの実施例では、１セット６個のビデオ装置がそれらのそれぞれに設けられている。
【００１６】
ビデオ装置６の後方のディスプレイのハウジング７の自由内部空間には、ディスプレイの機能的な機器又はその一部が設けられている。
【００１７】
全ての実施例において、空気調和装置は、蒸発器１、圧縮機２、制御装置１９と相互接続ケーブル及び動作流体が流れる配管から構成されている。全ての実施例では、制御装置１９は空気調和装置において空気を搬送する部材である蒸発器１に統合されている。空気調和とは、空気の加熱、冷却、ハウジング７内の空気の加湿制御に加えて静電気の除去を意味する。
【００１８】
ディスプレイのハウジング７の機器には、ハウジング７内の空気を混合する換気装置４とハウジング７を換気するためのグリル１６に加えてハウジング７内の空気の温度及び湿度を検出するためのセンサーとを含む内部機器と、ランプ１０と公共用のディスプレイが音声装置を備えている場合のスピーカー９とを含む外部機器が属している。
【００１９】
図１の実施例では、ハウジング７の底パネルの第１の端部がコンピュータ１０を支持し、第２の端部は外部電源が故障した場合にディスプレイに電源を供給するための給電装置１１を支持する。スタンド８の上方には、ディスプレイのハウジング７の底パネルの開口部１８が設けられている。
【００２０】
図２の実施例では、コンピュータ１０、給電装置１１、制御装置１９を含む蒸発器１、及び圧縮機２がハウジング７の外部に配置されている。この実施例では、放出フード３が蒸発器１の上方に設置され、前記フードはハウジング７に接続され、より正確には配管によってその底パネルに接続されている。この特定の場合には、マニホルドがハウジング７の内部の前記配管に接続されている。
【００２１】
図４の実施例では、完全に機能的な機器がディスプレイのハウジング７内に収容されている。特に、ハウジング７の底パネルには、圧縮機２、コンピュータ１０、蒸発器１及び給電装置１１が連続して配置されている。
【００２２】
また、図５の実施例では、ハウジング７の底パネルが、好ましくは前記パネルの中央において、蒸発器１を支持し、前記パネルの両端部分の一方に、給電装置１１が配置されている。コンピュータ１０及び圧縮機２はハウジング７の外側に配置されている。
【００２３】
図３に示されているフード３及び前記マニホルドは蒸発器に関連して全ての提案された実施例にも伝統的に適用可能であることを付記する。
【００２４】
電気接続１２のような外部コンジット、インターネット接続１３及びテレビケーブル１４が装置に接続されている。
【図面の簡単な説明】
【００２５】
【図１】公共用に発明されたディスプレイの主要な実施例を示している。
【図２】図１の公共用に発明されたディスプレイの変形例を示している。
【図３】図１の公共用に発明されたディスプレイの変形例を示している。
【図４】図１の公共用に発明されたディスプレイの変形例を示している。
【図５】図１の公共用に発明されたディスプレイの変形例を示している。
【図１】
2008519291.tif 000003
【図２】
2008519291.tif 000004
【図３】
2008519291.tif 000005
【図４】
2008519291.tif 000006
【図５】
2008519291.tif 000007
【国際調査報告】
2008519291.tif 000008
2008519291.tif 000009
2008519291.tif 000010